(57)【要約】【課題】  複数の記録媒体に記録された画像データから、より簡易な操作で所望の画像データを表示させることのできる電子カメラ装置を提供する。【解決手段】  本発明に係る電子カメラ装置は、複数の記録媒体に対応しており、また、画像データはディレクトリ構造により管理する。上位ディレクトリへ移動するボタン（Ｗｉｄｅキー）及び下位ディレクトリへ移動するボタン（Ｔｅｌｅキー）を設け、各ボタンにより、ディレクトリ間の表示の切り替えを行う（例えば表示画面３０２と表示画面３０３間）。さらに、ある一の記録媒体における最上位のディレクトリについて表示する表示画面３０２の上位階層として、記録媒体を選択する画面３０１を作成し、記録媒体内のディレクトリ間の切り替えと同様の操作により、表示画面３０１と表示画面３０２を切り替えられるようにする。【選択図】      図１１
2006101137.tif 000002
【特許請求の範囲】
【請求項１】
階層構造を成すファイル管理構造で画像データを管理し、複数の記録媒体に画像データを記録する電子カメラ装置において、
表示画面と、
前記複数の記録媒体のいずれか１つを選択させるための記録媒体選択画面を前記表示画面に表示する記録媒体選択画面表示手段と、
ディレクトリに格納される１つのサブディレクトリ或いは１つの画像データを選択させるためのサブディレクトリ或いは画像データの一覧表示画面を前記表示画面に表示する一覧表示手段と、
前記表示画面に画像データを表示する画像表示手段と、
前記表示画面の表示を、前記記録媒体選択画面、前記一覧表示画面、及び前記画像データの内のいずれか１つの画面から、前記記録媒体選択画面、前記一覧表示画面、及び前記画像データの内のいずれか１つの画面に切り替えるための画面切替手段と
を備えることを特徴とする電子カメラ装置。
【請求項２】
前記画面切替手段は、
前記表示画面への表示を、前記記録媒体選択画面から前記一覧表示画面へ切り替え、前記一覧表示画面から前記画像データへ切り替える第１切替手段と、
前記表示画面への表示を、前記画像データから前記一覧表示画面へ切り替え、前記一覧表示画面から前記記録媒体選択画面へ切り替える第２切替手段と
を備えることを特徴とする請求項１記載の電子カメラ装置。
【請求項３】
請求項１記載の電子カメラ装置において、
画像データは、属性種別及び属性値からなる属性情報を持ち、
予め定められた属性情報の属性種別の優先順位に従って前記ディレクトリと前記サブディレクトリの階層構造を形成し、予め定められた属性種別の属性情報が同一の属性値を持つ画像データ群を同一のディレクトリ内に格納して前記ファイル管理構造を形成する構造化手段をさらに備えることを特徴とする電子カメラ装置。
【請求項４】
請求項３記載の電子カメラ装置において、
画像データの属性情報を記述する管理ファイルをさらに備えることを特徴とする電子カメラ装置。
【請求項５】
前記属性種別は、画像データの撮影年月日であることを特徴とする請求項３記載の電子カメラ装置。
【請求項６】
請求項３記載の電子カメラ装置において、
前記構造化手段が前記ファイル管理構造を形成する際に使用する前記属性情報の属性種別及びその優先順位を指定するための属性選択手段をさらに備えることを特徴とする電子カメラ装置。
【請求項７】
階層構造を成すファイル管理構造で画像データを管理し、複数の記録媒体に画像データを記録する電子カメラ装置の表示画面への表示方法において、
複数の記録媒体のいずれか１つを選択させるための記録媒体選択画面、
ディレクトリに格納される１つのサブディレクトリ或いは１つの画像データを選択させるためのサブディレクトリ或いは画像データの一覧表示画面、
及び画像データ
の内のいずれか１つの画面を表示する表示ステップと、
前記表示画面の表示を、前記記録媒体選択画面、前記一覧表示画面、及び前記画像データの内いずれか１つの画面から、前記記録媒体選択画面、前記一覧表示画面、及び前記画像データの内いずれか１つの画面に切り替えるための画像切替ステップと
を備えることを特徴とする電子カメラ装置の表示方法。
【請求項８】
階層構造を成すファイル管理構造で画像データを管理する電子カメラ装置の表示画面への表示方法において、
画像データの持つ、属性種別及び属性値からなる属性情報を読み込む属性情報読込ステップと、
前記ファイル管理構造を作成する属性情報の属性種別及びその優先順位を読み込む階層情報読込ステップと、
前記階層情報読込ステップにより読み込まれた属性種別の優先順位に従ってディレクトリの階層構造を形成し、前記属性情報読込ステップにより読み込まれた属性情報の属性値が同一の画像データ群を同一のディレクトリに格納して前記ファイル管理構造を形成する構造化ステップと、
前記ファイル管理構造に基づいて前記表示画面に前記ディレクトリ若しくは前記画像データを表示する表示ステップと
を備えることを特徴とする電子カメラ装置の表示方法。
【請求項９】
前記属性情報読込ステップは、画像データの属性情報が記述された管理ファイルから属性情報を読み込むことを特徴とする請求項８記載の電子カメラ装置の表示方法。
【発明の詳細な説明】
【技術分野】
【０００１】
本発明は、電子カメラ装置及び電子カメラ装置の表示方法に関する。
【背景技術】
【０００２】
現在普及している多くの電子カメラ装置は、ＤＣＦ（Ｄｅｓｉｇｎ  ｒｕｌｅ  Ｆｏｒ  Ｃａｍｅｒａ  Ｆｉｌｅ  ｓｙｓｔｅｍ）規格に準拠しており、階層構造を成すファイル管理構造であるディレクトリ構造で画像を保存している。例えば特許文献１は、ＤＣＦ規格に準拠した既存のファイル構造との互換性を維持した上で、ユーザが任意のファイル名やディレクトリ名を付けることが可能なファイル管理構造で画像ファイルを管理する電子カメラ装置が提案されている。
【０００３】
尚、ＤＣＦ規格は、データ記録時のファイル名称や、そのファイルを格納するディレクトリ名称、ディレクトリ構造等について定めた規格である。
【特許文献１】特開２００２−１４２１８５号公報
【発明の開示】
【発明が解決しようとする課題】
【０００４】
しかしながら、特許文献１記載の電子カメラ装置は、ディレクトリ構造で画像を管理することができるものの、ユーザインタフェース上の提案はされていない。よって、ＰＣ（Ｐｅｒｓｏｎａｌ  Ｃｏｍｐｕｔｅｒ）等に記録媒体を読み込ませた場合にはディレクトリ構造での表示ができるが、電子カメラ装置上ではその表示ができない場合や、若しくは、ディレクトリ構造での表示はできるものの、表示画面上に表示されるディレクトリの表示を切り替えるには、例えば毎回メニュー画面を呼び出し、上位ディレクトリへ移動する項目を選択したり、同様にメニュー画面を呼び出して下位ディレクトリへ移動する項目を選択したりといった作業が必要になる場合があった。特に電子カメラ装置の場合には、大きさ等の制約からそれぞれのボタンが小さく操作しづらいことが多いので、利用者にとって操作の煩雑さはより顕著となる。また、多くのボタンを使用する操作は、利用者を混乱させやすい。
【０００５】
さらに近年、複数の記録媒体に画像を記録できる電子カメラ装置が考えられており、また記憶媒体の記憶容量は日々増加し、利用者が扱う画像ファイル数も膨大となってきているので、このようなユーザインタフェースの問題はより顕著となっている。
【０００６】
そこで本発明は、複数の記録媒体に記録された画像データから、より簡易な操作で所望の画像データを表示させることのできる電子カメラ装置を提供することを目的とする。
【課題を解決するための手段】
【０００７】
上記目的を達成するために、本発明に係る電子カメラ装置は、階層構造を成すファイル管理構造で画像データを管理し、複数の記録媒体に画像データを記録する電子カメラ装置において、表示画面と、前記複数の記録媒体のいずれか１つを選択させるための記録媒体選択画面を前記表示画面に表示する記録媒体選択画面表示手段と、ディレクトリに格納される１つのサブディレクトリ或いは１つの画像データを選択させるためのサブディレクトリ或いは画像データの一覧表示画面を前記表示画面に表示する一覧表示手段と、前記表示画面に画像データを表示する画像表示手段と、前記表示画面の表示を、前記記録媒体選択画面、前記一覧表示画面、及び前記画像データの内のいずれか１つの画面から、前記記録媒体選択画面、前記一覧表示画面、及び前記画像データの内のいずれか１つの画面に切り替えるための画面切替手段とを備えることを特徴とする。
【０００８】
請求項７記載の電子カメラ装置の表示方法は、階層構造を成すファイル管理構造で画像データを管理し、複数の記録媒体に画像データを記録する電子カメラ装置の表示画面への表示方法において、複数の記録媒体のいずれか１つを選択させるための記録媒体選択画面、ディレクトリに格納される１つのサブディレクトリ或いは１つの画像データを選択させるためのサブディレクトリ或いは画像データの一覧表示画面、及び画像データの内のいずれか１つの画面を表示する表示ステップと、前記表示画面の表示を、前記記録媒体選択画面、前記一覧表示画面、及び前記画像データの内いずれか１つの画面から、前記記録媒体選択画面、前記一覧表示画面、及び前記画像データの内いずれか１つの画面に切り替えるための画像切替ステップとを備えることを特徴とする。
【０００９】
請求項８記載の電子カメラ装置の表示方法は、階層構造を成すファイル管理構造で画像データを管理する電子カメラ装置の表示画面への表示方法において、画像データの持つ、属性種別及び属性値からなる属性情報を読み込む属性情報読込ステップと、前記ファイル管理構造を作成する属性情報の属性種別及びその優先順位を読み込む階層情報読込ステップと、前記階層情報読込ステップにより読み込まれた属性種別の優先順位に従ってディレクトリの階層構造を形成し、前記属性情報読込ステップにより読み込まれた属性情報の属性値が同一の画像データ群を同一のディレクトリに格納して前記ファイル管理構造を形成する構造化ステップと、前記ファイル管理構造に基づいて前記表示画面に前記ディレクトリ若しくは前記画像データを表示する表示ステップとを備えることを特徴とする。
【発明の効果】
【００１０】
本発明によれば、複数の記録媒体に記録された画像データから、より簡易な操作で所望の画像データを表示させることのできる電子カメラ装置を提供することができる。
【発明を実施するための最良の形態】
【００１１】
以下、本発明の電子カメラ装置及び電子カメラ装置の表示方法について、図面を参照しながら説明する。
【実施例１】
【００１２】
図１は、本発明の実施例である電子カメラ装置を、背面側から見た図である。図１に示すように、この電子カメラ装置１０には、液晶モニタ１１、選択キー１２、メニューキー１３、削除キー１４、Ｔｅｌｅ／Ｗｉｄｅキー１５が設けられている。
【００１３】
液晶モニタ１１は、撮影時に画角確認用の電子ファインダとして使用できると共に、記録済み画像を再生表示する手段として利用される。また、液晶モニタ１１は、ユーザインタフェース用表示画面としても利用され、必要に応じてメニュー情報や選択項目、設定内容などの情報が表示される。
【００１４】
選択キー１２は、液晶モニタ１１に表示される表示画面において、所望の項目を選択するためのカーソルの移動に使用する。
メニューキー１３は、液晶モニタ１１にメニュー画面を表示させるためのボタンである。画像の削除を防ぐための保護や、画像の複製等の操作は、メニュー画面より行う。
【００１５】
削除キー１４は、選択した画像ファイル等を削除する際に使用する。
Ｔｅｌｅ／Ｗｉｄｅキー１５は、液晶モニタ１１上に表示される表示画面を、画像表示、画像一覧表示等の表示形態に切り替える際に使用する。尚、図１に示したＴｅｌｅ／Ｗｉｄｅキー１５はＴｅｌｅ１６側、Ｗｉｄｅ１７側に可動であり、以下、Ｔｅｌｅ／Ｗｉｄｅキー１５をＴｅｌｅ１６側に移動させたときのことを「Ｔｅｌｅキー１６を押す」、Ｗｉｄｅ１７側に動かしたときのことを「Ｗｉｄｅキー１７を押す」と表現することとする。
【００１６】
図２は、電子カメラ装置１０の構成を示すブロック図である。同図に示した電子カメラ装置１０は、被写体の光学像をデジタル画像データに変換して記録媒体に記録する。電子カメラ装置１０は、ＣＰＵ（Ｃｅｎｔｒａｌ  Ｐｒｏｃｅｓｓｉｎｇ  Ｕｎｉｔ）２０１、バス２０２、メモリコントローラ２０３、ワークメモリ２０４、撮像レンズ２０５、ＣＣＤ（Ｃｈａｒｇｅ  Ｃｏｕｐｌｅｄ  Ｄｅｖｉｃｅ）２０６、Ａ／Ｄ変換回路２０７、ＣＣＤ信号処理回路２０８、圧縮伸張回路２０９、ＨＤＤ（Ｈａｒｄ  Ｄｉｓｋ  Ｄｒｉｖｅ）２１０、ＳＤ（Ｓｅｃｕｒｅ  Ｄｉｇｉｔａｌ）カード２１１、表示回路２１２、液晶モニタ１１、操作部２１３を持つ。
【００１７】
ＣＰＵ２０１は、電子カメラ装置１０全体の動作を統括制御する。ＣＰＵ２０１は、所定のプログラムに従って電子カメラ装置１０を制御する制御手段として機能すると共に、自動露光演算、自動焦点調節演算など各種演算を実施する演算手段として機能する。
【００１８】
ＣＰＵ２０１はバス２０２を介してメモリコントローラ２０３と接続されており、メモリコントローラ２０３は、ワークメモリ２０４と接続されている。ワークメモリ２０４には、ＣＰＵ２０１が実行するプログラム及び制御に必要な各種データや、アイコン等の画面表示に必要な情報等が格納されている。また、プログラムの展開領域及びＣＰＵ２０１の演算作業用領域として利用されると共に、画像データや音声データの一時記憶領域として利用される。後に述べる、ファイルを管理するアルバムの階層構造に関する情報は、ここに記憶される。
【００１９】
撮像レンズ２０５は、被写体からの光束を、光量調節をしてＣＣＤ２０６上に被写体像として形成する。撮像レンズ２０５は単焦点レンズであってもよいし、ズームレンズのような焦点距離可変のものでも良い。
【００２０】
ＣＣＤ２０６は、撮像レンズ２０５を通過した被写像の光を、入射光量に応じた電気的な画像信号に変換する。ＣＣＤ２０６の受光面には、多数のフォトダイオード（受光素子）が二次元的に配列されており、各フォトダイオードに応じて赤（Ｒ）、緑（Ｇ）、青（Ｂ）の原色カラーフィルタが所定の配列構造で配置されている。また、ＣＣＤ２０６は、各フォトダイオードの電荷蓄積時間（シャッタスピード）を制御する電子シャッタ機能を有している。
【００２１】
Ａ／Ｄ変換回路２０７は、ＣＣＤ２０６で変換された電気的な信号であるＲ、Ｇ、Ｂ信号を、デジタル信号に変換し、ＣＣＤ信号処理回路２０８に送る。
ＣＣＤ信号処理回路２０８は、Ａ／Ｄ変換回路２０７でデジタル化された画像データの処理を行う。同時化回路（単板ＣＣＤのカラーフィルタ配列に伴う色信号の空間的なずれを補完して色信号を同時式に変換する処理回路）、輝度・色差信号生成回路、ガンマ補正回路、輪郭補正回路、ホワイトバランス補正回路等を含む画像処理手段として機能し、ＣＰＵ２０１からの命令に従ってワークメモリ２０４を活用しながら画像信号を処理する。ＣＣＤ信号処理回路２０８に入力されたＲＧＢの画像データは、輝度信号（Ｙ信号）及び色差信号（Ｃｒ、Ｃｂ信号）に変換されるとともに、ガンマ補正等の所定の処理が施される。処理後の画像データは、メモリコントローラ２０３を介して、ワークメモリ２０４に格納される。
【００２２】
ワークメモリ２０４に格納された画像データは、圧縮伸張回路２０９に送られ、ここで、例えばＪＰＥＧ（Ｊｏｉｎｔ  Ｐｈｏｔｏｇｒａｐｈｉｃ  Ｅｘｐｅｒｔｓ  Ｇｒｏｕｐ）方式等の所定の圧縮フォーマットに圧縮される。圧縮された画像データは、バス２０２を介して、記録媒体であるところのＨＤＤ２１０若しくはＳＤカード２１１に記録される。
【００２３】
液晶モニタ１１は、先述の通り撮影時に画角確認用の電子ファインダとして使用できると共に、記録済み画像を再生表示する手段として利用される。ＨＤＤ２１０若しくはＳＤカード２１１に記録された画像は、圧縮伸張回路２０９を介して被圧縮の輝度・色差信号に伸張され、表示回路２１２を介して表示用の信号に変換された後、液晶モニタ１１上に表示される。
【００２４】
操作部２１３は、撮影や再生にあたり、利用者が操作を行うための機構である。操作部２１３からの操作信号はＣＰＵ２０１に入力され、ＣＰＵ２０１は操作部２１３からの操作信号に基づいて電子カメラ１０の各回路を制御し、例えば撮影レンズ２０５の駆動制御、撮影動作制御、画像処理制御、画像データの記録／再生制御、液晶モニタ１１への表示制御等を行う。図１に示した、選択キー１２、メニューキー１３、削除キー１４、Ｔｅｌｅ／Ｗｉｄｅキー１５は、操作部２１３に含まれる。図１には図示していないが、シャッターボタン等も操作部の一部である。
【００２５】
記録媒体であるＨＤＤ２１０及びＳＤカード２１１は、画像データを記録する役割を果たす。ＨＤＤ２１０及びＳＤカード２１１におけるファイル管理構造の例を図３に示す。電子カメラ装置１０は、カメラファイルシステム規格であるＤＣＦ  Ｖｅｒ１．０により取り決められた内容を有する構造でファイル管理を行っている。ＨＤＤ２１０とＳＤカード２１１内のファイル管理構造は基本的に同一であるので、ＳＤカード２１１の中身の記載を省略している。
【００２６】
ＤＣＦ規格では、記憶媒体であるＨＤＤ２１０のルートディレクトリ３１の直下に、「ＤＣＩＭ」という名前のディレクトリ３２が存在する。撮影された画像データは、このディレクトリ内に、「１００ＴＯＳＨＩ」という名前のディレクトリ３３のように、頭３桁の数字（１００〜９９９）と、開発元が独自にＤＯＳ（Ｄｉｓｋ  Ｏｐｅｒａｔｉｎｇ  Ｓｙｓｔｅｍ）で使用可能な後ろの５文字で構成されたディレクトリが作成され、その中に「ＨＥＭ＿０００１．ＪＰＧ」という名前のファイル３５ように、開発元が独自にＤＯＳで使用可能な頭４文字と４桁の数字（０００１〜９９９９）で構成されたファイルとして保存される。これはＤＣＦ規格の中で取り決められており、異なるメーカ間で画像ファイルが正しく再生されるのは、この取り決めが遵守されているからである。尚、ファイルの種類としては、静止画像ファイルもあれば、動画像ファイルも存在する。
【００２７】
一方、管理ファイル３０は、上記ＤＣＦ規格とは独立した形で存在する。本実施例では、管理ファイル３０はＤＣＩＭディレクトリ３２と並列に、すなわちルートディレクトリ３１の直下に格納されるものとする。
【００２８】
管理ファイル３０の例を図４に示す。管理ファイル３０には、ＤＣＦ規格に準拠したディレクトリ構造や、各々の画像ファイルの属性について記述されている。記述形式は、ＸＭＬ（Ｅｘｔｅｎｓｉｂｌｅ  Ｍａｒｋｕｐ  Ｌａｎｇｕａｇｅ）の形式に従う。
【００２９】
ディレクトリ構造は、ＸＭＬの階層構造によって表現される。例えば、ＨＤＤ２１０では、ＤＣＩＭディレクトリ３２の下に１００ＴＯＳＨＩディレクトリ３３や、１０１ＴＯＳＨＩディレクトリ３４等が配置されるので、それに対応させて、管理ファイルにも「１００ＴＯＳＨＩ」や「１０１ＴＯＳＨＩ」といったディレクトリ名属性を持つディレクトリ要素が並列に記述される。
【００３０】
更に、ディレクトリ要素の下に、各々のディレクトリに保存されるファイルについて記述される。例えば１００ＴＯＳＨＩディレクトリ３３はＨＥＭ＿０００１．ＪＰＧファイル３５、ＨＥＭ＿０００２．ＭＰＧファイル３６、ＨＥＭ＿０００３．ＪＰＧファイル３７を持つので、同様に、管理ファイルの「１００ＴＯＳＨＩ」というディレクトリ名要素を持つディレクトリ要素の下に、「ＨＥＭ＿０００１．ＪＰＧ」、「ＨＥＭ＿０００２．ＭＰＧ」、「ＨＥＭ＿０００３．ＪＰＧ」という名前のファイル名要素を持つファイル要素が並列に配置される。
【００３１】
ファイルに関する情報は、ファイル要素の属性として記述される。例えば、ＨＥＭ＿０００１．ＪＰＧファイル３５の例であれば、ファイル名属性にファイル名「ＨＥＭ＿０００１．ＪＰＧ」が、撮影日時属性に画像の撮影日時である「２００４年８月２５日」が、コメント属性にコメント「サイコウ！」が、感度属性に感度「４００」が、シャッタースピード属性に「１／３０」が、絞り値属性に「１１」が記載されている。他のファイルについても同様に、属性を用いて様々な情報が記載される。
【００３２】
次に、電子カメラ装置１０を用いて、実際に階層表示させる場合の流れを説明する。電子カメラ装置１０では、Ｔｅｌｅ／Ｗｉｄｅキー１５の操作により、上位階層のアルバムから下位階層のアルバムへ切り替えることができる。尚、アルバムとは、画像群を格納するための単位であり、画像ファイル管理上の仮想的なディレクトリである。ディレクトリ構造と同様に、アルバムの下層にさらにアルバムを持つことも可能である。
【００３３】
まず、ユーザはアルバムの階層を構成するための属性を設定する。図５は、アルバムの階層とする属性を設定するためのアルバム表示設定画面の例である。この例では、「年」「月」「日」、すなわち画像の撮影年、撮影月、撮影日の３つの属性に基づいてアルバムの階層を設定している。尚、このアルバム表示設定画面は、メニューキー１３を押して液晶モニタ１１に表示されるメニュー画面から呼び出される。
【００３４】
アルバム表示設定画面には、アルバムキー選択窓５１、アイテム追加ボタン５２、アイテム削除ボタン５３、階層番号５４、設定完了ボタン５５、設定中止ボタン５６が表示される。
【００３５】
アルバムキー選択窓５１は、アルバムを構成する属性を選択するためのウィンドウである。例えば、年、月、日、年月日、カテゴリ、コメント、シャッタスピード等の属性を選択することができ、ここで設定されたキー属性（属性種別）に基づいて、アルバムを作成することができる。
【００３６】
アイテム追加ボタン５２は、アルバムのキーとする属性を追加するためのボタンである。例えば、「年」（つまり、撮影年）を第１階層のアルバムを作成する属性として選択し、次にアイテム追加ボタン５２を押すと、「年」を選択したアルバムキー選択窓の下に新たなアルバムキー選択窓が表示され、ここで新たにアルバムのキーとする属性「月」（つまり、撮影月）を選択することができる。
【００３７】
アイテム削除ボタン５３は、アルバムのキーとする属性を追加する際に押すボタンである。例えば図５の例で、アイテム削除ボタン５３を押すと、「月」属性が削除され、アルバムの階層は「年」と「日」の２つの属性に基づいて構成されることとなる。
【００３８】
階層番号５４は、第何位の階層かを表示する数字であり、数字が若いほど上位階層を意し、図５の例であれば、第１位の階層は撮影年に、第２位の階層は撮影月に、第３位の階層は撮影日に基づいて構成されることになる。
【００３９】
設定完了ボタン５５は、アルバム階層の設定を完了する際に押すボタンである。このボタンを押すと、この内容はワークメモリ２０４に保存され、階層を表示する際に参照される。尚、ワークメモリ２０４に記録される階層のデータを示したのが図６である。図６に示すように、アルバムの階層を構成する属性と、その属性が第何位のアルバム階層を作成するかを記述している。
【００４０】
設定中止ボタン５６は、アルバム階層の設定を中止する際に押すボタンである。このボタンを選択、実行すると、変更内容を破棄し、従来の設定での階層状態でアルバムを管理する。
【００４１】
アルバムの階層となる属性キーを設定するには、まず、アルバムキー選択窓５１でアルバムのキー属性を選択し（図５の例であれば「年」）、さらに下位階層を作成するには、アイテム追加ボタン５２を押す。これにより、２つ目のアルバムキー選択窓が表示されるので、ここで例えば「月」を選択し、同様の操作により「月」の下位階層「日」を作成、設定完了ボタン５５を押せば、図６に示すような、アルバムの階層を構成する属性と、その上下に関する情報が、ワークメモリ２０４に保存される。
【００４２】
図５の例以外にも、ユーザの設定により、例えば図７のようにコメント属性に基づいて作成される階層のみの１階層、図８のように撮影年月日のみの１階層、図９のようにコメント属性と撮影年の２階層等とすることができる。
【００４３】
続いて、上記のようにアルバム階層を構成する属性を設定した後の、アルバム階層表示に関する処理の流れを説明する。図１０は、電子カメラ装置１０において、表示するアルバムの階層を上位階層から下位階層へ切り替える場合のフローチャートである。
【００４４】
まず利用者は、液晶モニタ１１上に表示される下位階層のアイコンの中から、移動したい下位階層を示すアイコンを選択し、Ｔｅｌｅキー１６を押す。これに伴い、ワークメモリ２０４に記録された、階層構造を形成する属性キーに関する情報（例えば図６）を読み込む（ステップ６１）。次に、管理ファイル３０を読み込み（ステップ６２）、読み込んだ管理ファイルの全ファイル要素の中から、属性キーに基づく部分に基づいてアルバムを構成し（ステップ６３）、液晶モニタ１１に表示する（ステップ６４）。
【００４５】
図１１は、Ｔｅｌｅ／Ｗｉｄｅキー１５の操作による、液晶モニタ１１の表示画面の変遷例を示す図である。以下、この変遷を説明すると共に、先述の上位階層から下位階層へ移動する際の処理の流れも詳述する。尚、記録媒体を選択する画面である表示画面３０１を初期画面とし、アルバム階層は図５や図６の例と同様、撮影年、撮影月、撮影日の各キー属性に基づいて構成されるものとする。最上位階層は撮影年であり、最下位階層は撮影日である。初期画面である記録媒体選択画面３０１は、メニューキー１３を押して表示されるメニュー画面から再生モードを呼び出すと表示される。
【００４６】
まず利用者は、記録媒体を選択する。表示画面３０１は、記録媒体の選択画面である。ＳＤカード２１１に記録された画像データ群を再生させたい場合には、選択キー１２によってカーソルをＳＤカードのアイコンへ移動させ、ＨＤＤ２１０に記録された画像データ群を再生させたい場合には、同様に選択キー１２によってカーソルをＨＤＤのアイコンへ移動させる。ここでは、ＨＤＤを選択したものとする。利用者がＨＤＤを選択してＴｅｌｅキー１６を押すと、ワークメモリ２０４に保存された、図６に示した階層構造に関する情報を読み込む（図１０ステップ６１）。つまり、「撮影年」「撮影月」「撮影日」の３階層で階層を形成し、最上位のアルバムを構成するキーが撮影年であるという情報が得られる。
【００４７】
次に、管理ファイル３０を読み込む（図１０ステップ６２）。さらに、読み込んだ管理ファイル３０の全ファイル要素を、撮影日時属性の撮影年に当たる部分を属性キーに用いてチェックし、その結果を年毎にカテゴリ分けし（図１０ステップ６３）、表示画面３０２のように、年毎のアルバムとして表示する（ステップ６４）。より詳細には、管理ファイル３０の各ディレクトリ要素下に置かれる全ファイル要素の撮影日時属性を読み込み、撮影日時の中から特に撮影年に相当する部分を読み込んでいく。これを元に、例えば２００２年、２００３年、２００４年の各撮影年のファイル要素が存在すれば、図３の表示画面３０２のように各年に関するアルバムのアイコンを作成／表示する。
【００４８】
表示画面３０２において、例えば２００２年を選択し、Ｔｅｌｅキー１６を押した場合には、管理ファイル３０に記載される全ファイル要素のうち、撮影日時属性の撮影年に当たる部分が２００２年のものの中から、撮影日時属性の撮影月に相当する部分（１月、２月等）をピックアップする。これを元に、例えば１月、２月、３月等の各撮影月のファイル要素があれば、それらの撮影月のそれぞれについて、表示画面３０３のように、アルバムアイコンを表示する。また、表示画面３０２において、Ｗｉｄｅキー１７を押した場合には、記憶媒体を選択する表示画面３０１へ戻る。
【００４９】
表示画面３０３での処理も同様である。例えば、表示画面３０３で２月を選択し、Ｔｅｌｅキー１６を押した場合には、管理ファイル３０に記載される全ファイル要素のうち、撮影日時属性の撮影年が２００２年、撮影日が２月のものの中から、撮影日時属性の撮影日に相当する部分を読み込んでいく。これを元に、例えば、１日、５日、１２日の各撮影日のファイル要素があれば、それらの撮影日のそれぞれについて、表示画面３０４のように、アルバムアイコンを表示する。また、表示画面３０３において、Ｗｉｄｅキー１７を押した場合には、上位階層である表示画面３０２へ戻る。
【００５０】
表示画面３０４で、例えば１２日を選択し、Ｔｅｌｅキー１６を押した場合には、管理ファイル３０に記載される全ファイル要素のうち、撮影日時属性が２００２年２月１２日のものを検索する。各ファイル要素は、それぞれのファイル名属性と、当該ファイル要素の親要素であるディレクトリ要素のディレクトリ名属性から、ＨＤＤ２１０内での画像ファイルの保存されている位置を知ることができるので、これを元に、撮影年月日が２００２年２月１２日である画像たちを並べ、表示画面３０５のような、画像一覧表示画面を作成、表示する。尚、表示画面３０４において、Ｗｉｄｅキー１７を押した場合には、上位階層である表示画面３０３へ戻る。
【００５１】
表示画面３０５で画像を選択し、Ｔｅｌｅキー１６を押すと、選択した画像が表示される（表示画面３０６）。表示画面３０４までと同様、Ｗｉｄｅキー１７を押すと表示画面３０４へ戻る。
【００５２】
表示画面３０６でＴｅｌｅキー１６を押すと、選択した画像が拡大される（表示画面３０７）。また、表示画面３０５までと同様、Ｗｉｄｅキー１７を押すと表示画面３０５へ戻る。
【００５３】
表示画面３０７では、選択キー１２で上下左右を押すことにより、画像の表示部分を変えることができる。Ｔｅｌｅキー１６を押すと、さらに拡大表示される（表示画面３０８）。表示画面３０６までと同様、Ｗｉｄｅキー１７を押すと表示画面３０６へ戻る。
【００５４】
表示画面３０８でＷｉｄｅキー１７を押すと、表示画面３０８よりも倍率の低い表示画面３０７へ戻る。
尚、画像の削除／複製等のファイル操作においても、図１１に示すようなファイル表示画面を用いて操作を行えるようにする。
以上説明したように、本実施例によれば、記憶媒体選択画面を作成し、上位アルバムと下位アルバムの移動と同様の操作、すなわちＴｅｌｅ／Ｗｉｄｅキー１５による操作で、記憶媒体選択画面とアルバム表示画面を切り替えることができる。これにより、記憶媒体の選択のために新たなボタンを設けたり、メニュー画面を呼び出して切り替えたりする必要が無く、記憶媒体の選択にかかる利用者の操作が容易となる。
【００５５】
本実施例では、ファイルを管理するアルバムの階層構造は、ＨＤＤ２１０やＳＤカード２１１内の実際のディレクトリではなく、利用者の指定した、例えば撮影年月日等の画像の属性に基づいた仮想的なディレクトリ構造である。これにより、利用者は自分が把握しやすい属性に基づいて任意に階層構造を構成することができ、これにより、利用者が画像を探すのにかかる手間を低減できる。
【００５６】
本実施例では、各層ごとに利用者の指定した画像の属性に基づいて検索を掛け、仮想的なディレクトリ構造を提供している。この手法により、電子カメラ装置で広く普及したＤＣＦ規格との互換性を維持しつつ、３階層以上の多重階層での画像管理も可能となっている。これにより、例えば画像ファイルが膨大になった場合に、１階層若しくは２階層での画像管理よりも、利用者は管理しやすくなる。
【００５７】
本実施例では、指定した、階層を構成するための属性キーに基づく検索結果を予めファイルなどに記憶しておくのではなく、下位のアルバムへ表示を切り替える度に検索を行っている。これにより、余分な記憶領域を使用せずに済む。
【００５８】
本実施例では、画像ファイルの属性を管理ファイル３０に記載している。これにより、例えば全ての画像ファイルのヘッダに記述された属性を検索する場合よりも、検索時間の短縮を図ることができる。
【００５９】
管理ファイル３０は、ワークメモリ２０４に記憶するのではなく、ＨＤＤ２１０やＳＤカード２１１等の記録媒体内に格納している。これにより、例えば当該記憶媒体を、電子カメラ装置１０と同様のファイル処理を行えるＰＣ等に読み込ませても、利用者に同じ見せ方をすることが可能となる。
【００６０】
本実施例では、画像の削除／複製等のファイル操作についても、図３に示すようなファイル表示画面を用いて操作を行う。これにより、例えば削除、複製等の操作においても、画像再生時と同様の画像操作をユーザに提供することができ、この点においても操作を容易としている。
【００６１】
ところで、図１１の例では、画面３０６でＴｅｌｅキー１６を押すと拡大表示されているが、画面３０６で表示している画像が動画像である場合には、Ｔｅｌｅキー１６の操作により、表示画面を当該動画像のチャプタ表示に切り替えても良い。この場合も、チャプタ表示からＷｉｄｅキー１７を押すと画面３０６へ戻るのは同様である。
【００６２】
管理ファイル３０のファイル要素に新たな属性を設け、任意のファイル名を記述できるようにしてもよい。これにより、ユーザの管理がより簡易となる。
管理ファイル３０の位置は、任意である。例えば図３における１００ＴＯＳＨＩディレクトリ３３等と並列に置いても良いし、ワークメモリ２０４に記憶しても良い。特にワークメモリ２０４内に記憶した場合には、管理ファイル３０は１つで済む。
【００６３】
管理ファイル３０は、分割しても良い。例えば、１００ＴＯＳＨＩディレクトリ３３、１０１ＴＯＳＨＩディレクトリ３４等の各ディレクトリ毎にファイルを分けて管理ファイルを作成することも可能である。
【００６４】
管理ファイル３０を作成せずに、属性情報は画像ファイルに記述し、全ての画像ファイルのヘッダ部分を読み込んで検索を掛けても良い。この手法では、管理ファイル３０を不要としつつ、本実施例と同様の操作を提供することができる。
【００６５】
本実施例では、余分な記憶領域を使わないよう、アルバム表示する毎にアルバムのキーとなる属性値に基づいて検索を行っているが、記録媒体を選択した際、若しくはアルバム表示設定画面でアルバムキーを決定した際に、検索結果をワークメモリ２０４若しくはＨＤＤ２１０やＳＤカード２１１のファイルとして保存しておいても良い。この場合、それ以降のアルバム表示切替の際には検索せずに済むので、表示応答時間を早めることが可能である。
【００６６】
本実施例では、階層構造はユーザが指定する属性に基づいて構成される、仮想的なディレクトリ構造を用いているが、記録媒体内の実際のディレクトリ構造に基づいて、ユーザに提示しても良い。この場合、管理ファイル４０が不要であり、また、画像の属性情報を検索せずに済むので、実装が容易となる。
【００６７】
記録媒体は、本実施例のようにＨＤＤ及びＳＤカードに限定されるものではなく、他の半導体メモリカード、磁気ディスク、光ディスク、光磁気ディスク等様々な媒体を用いることができる。ただし、画像データを保存する役割を果たすために、電源が切られてもデータ内容が保存される必要はある。また、使用する記録媒体の個数も２つに限定されるものではない。
【図面の簡単な説明】
【００６８】
【図１】本発明の実施例１に係る電子カメラ装置の背面を示す図。
【図２】本発明の実施例１に係る電子カメラ装置のブロック図。
【図３】本発明の実施例１に係る電子カメラ装置の記録媒体のファイル構造を示す図。
【図４】本発明の実施例１に係る管理ファイルの例を示す図。
【図５】本発明の実施例１に係る電子カメラ装置のアルバム表示設定画面の例を示す図。
【図６】本発明の実施例１に係る電子カメラ装置の階層構造構成を作成するための属性キーに関する情報の例を示す図。
【図７】本発明の実施例１に係る電子カメラ装置のアルバム表示設定画面の例を示す図。
【図８】本発明の実施例１に係る電子カメラ装置のアルバム表示設定画面の例を示す図。
【図９】本発明の実施例１に係る電子カメラ装置のアルバム表示設定画面の例を示す図。
【図１０】本発明の実施例１に係る電子カメラ装置のアルバム階層表示の処理の流れを示す図。
【図１１】本発明の実施例１に係る電子カメラ装置のＴｅｌｅ／Ｗｉｄｅキーの操作による表示画面の変遷例を示す図。
【符号の説明】
【００６９】
１０・・・電子カメラ装置
１１・・・液晶モニタ
１２・・・選択キー
１３・・・メニューキー
１４・・・削除キー
１５・・・Ｔｅｌｅ／Ｗｉｄｅキー
３０・・・管理ファイル
５１・・・アルバムキー選択窓
５２・・・アイテム追加ボタン
５３・・・アイテム削除ボタン
５４・・・階層番号
５５・・・設定完了ボタン
５６・・・設定中止ボタン
２０１・・・ＣＰＵ
２０２・・・バス
２０３・・・メモリコントローラ
２０４・・・ワークメモリ
２０５・・・撮像レンズ
２０６・・・ＣＣＤ
２０７・・・Ａ／Ｄ変換回路
２０８・・・ＣＣＤ信号処理回路
２０９・・・圧縮伸張回路
２１０・・・ＨＤＤ
２１１・・・ＳＤカード
２１２・・・表示回路
２１３・・・操作部
【図１】
2006101137.tif 000003
【図２】
2006101137.tif 000004
【図３】
2006101137.tif 000005
【図４】
2006101137.tif 000006
【図５】
2006101137.tif 000007
【図６】
2006101137.tif 000008
【図７】
2006101137.tif 000009
【図８】
2006101137.tif 000010
【図９】
2006101137.tif 000011
【図１０】
2006101137.tif 000012
【図１１】
2006101137.tif 000013